(57)【要約】【課題】枝打ちされていない自然林に対しても容易に設置することが可能であり、しかも使用時の安全性に優れる木登り足場を提供する。【解決手段】本発明の木登り足場１は、樹木Ｊに対して、その高さ方向と略平行をなすように設置され上端近傍に踏み板連結部６が設けられた保持部材２と、連結具９に鉤状部１５を係止させるようにして保持部材２に一端が保持される踏み板３と、両端が環状に形成された伐採用引きロープ４及び連結用ロープ５を備えている。【選択図】図１
2018038310.tif 000002
【特許請求の範囲】
【請求項１】
樹木の高所に一部が巻回されるようにして使用されるロープと、
このロープの一端が上端に連結される保持部材と、
この保持部材に基端が保持された状態で水平に設置される踏み板と、を備え、
前記ロープは、他端が前記踏み板の下方に配置されるように垂設されることを特徴とする木登り足場。
【請求項２】
前記ロープは、前記踏み板の前記基端と前記保持部材の間に挿設され、
前記踏み板は、前記保持部材と直交するまで回動し、その状態で前記基端が前記保持部材と協働して前記ロープを挟持するように、前記基端が前記保持部材に対して回動可能に連結されたことを特徴とする請求項１に記載の木登り足場。
【請求項３】
前記踏み板の前記基端に設けられた鉤状部と、
この鉤状部が係止する係止手段と、を備え、
前記鉤状部は、前記踏み板が前記基端を中心として回動可能に前記係止手段を介して前記保持部材に対して着脱可能に連結されることを特徴とする請求項１又は請求項２に記載の木登り足場。
【請求項４】
平面視半円状をなし、前記係止手段の下方において、側方へ突出するように前記保持部材の側面に設けられた板バネと、
前記踏み板と前記保持部材が直交した状態において、先端が前記連結具と前記板バネの間に配置された棒状の位置決め具と、を備え、
この位置決め具は、前記踏み板の回動に伴って前記板バネを弾性変形させながら移動するように前記踏み板の前記基端に設置されたことを特徴とする請求項３に記載の木登り足場。
【請求項５】
前記ロープは、両端の少なくともいずれか一方が環状に形成され、
前記保持部材は、前記上端と下端のうちの少なくとも一方が前記ロープを係止可能に鉤状に形成されたことを特徴とする請求項１乃至請求項４のいずれか１項に記載の木登り足場。
【請求項６】
前記ロープは、両端の少なくともいずれか一方が環状に形成され、
前記保持部材は、ピンによってフックの開口部が開閉される連結金具が前記上端と下端のうちの少なくとも一方に設けられたことを特徴とする請求項１乃至請求項４のいずれか１項に記載の木登り足場。
【請求項７】
前記樹木の胴部に対して巻回可能な長さを有し、両端が前記踏み板に連結されたチェーンを備え、このチェーンは少なくともいずれか一方の端部が前記踏み板に対して着脱可能に連結されたことを特徴とする請求項１乃至請求項６のいずれか１項に記載の木登り足場。
【請求項８】
前記踏み板の先端に両端が接続される丸棒からなり、安全帯のフックを掛止可能に形成される把持部を備えたことを特徴とする請求項１乃至請求項７のいずれか１項に記載の木登り足場。
【発明の詳細な説明】
【技術分野】
【０００１】
本発明は、線下樹木の先端伐採時に用いられる木登り足場に係り、特に、造林だけでなく自然林にも適用することが可能な木登り足場に関する。
【背景技術】
【０００２】
電線に樹木の枝が接触しないように、その先端を伐採したり、植林された樹木の枝打ちを行ったりする作業では、作業者が木に登る必要がある。しかし、自然林は造林と異なり、歪な形状をしている場合が多いため、梯子等を立て掛けて使用することは難しい。
【０００３】
そのため、従来、梯子よりも安全に木登りを行うことができる器具が求められており、これまでにいろいろな構造の器具が提案されている。例えば、特許文献１には、「２点係止型の墜落防止ロープとチョーク台付ベルトを備えた樹木昇降補助具とそれを用いた樹木昇降方法」という名称で、樹木の昇降方法とそれに用いる補助具に関する発明が開示されている。
この発明に係る樹木昇降補助具は、先端にフックが取り付けられた墜落防止ロープと、一端にアイ部が設けられ他端に環部が設けられたチョーク台付ベルトと、樹木に固定するためのロープ又はベルトを有するステップを備えた構造となっている。
このような構造であれば、安全帯のフックを掛け替える際に無胴状態となることを防止できる。また、軽量で嵩張らないため、持ち運びが容易である。
【０００４】
一方、特許文献２には、「柱状体昇降具」という名称で、安全帯と連携させることで墜落防止機能が発揮される昇降具に関する発明が開示されている。
この発明では、昇降具本体が長尺の主ベルトと、これに結合された複数の締め付けベルトと、複数の足場部材によって構成されるとともに、作業者の安全帯に結合され未装着の昇降具本体を保持するホルダを備えたことを特徴としている。
このような構造によれば、作業者は、ホルダから連結部材を外すごとに繰り出される１スパンの主ベルトを足場部材とともに柱状体の上部に締め付けベルトを用いて固定するようにして、昇降具を柱状体に取り付けることができる。このとき、作業者は、柱状体に固定されている主ベルトに対して、ホルダに係止されている連結部材を介して結合された状態になる。このように、本発明では、昇降具が安全具としても機能するため、作業者が足場部材を踏み外したとしても墜落する心配がないという効果を有している。
【０００５】
また、特許文献３には、「枝打ち用木登り器具」という名称で、ロープと金属製の丸棒からなる木登り具に関する発明が開示されている。
この発明は、締め付けロープと、その下端に連結された足載部からなる簡単な構造であるため、運搬や取り扱いが容易であることに加え、製造コストが安いという効果を有している。
【先行技術文献】
【特許文献】
【０００６】
【特許文献１】特開２０１２−２００３７５号公報
【特許文献２】特開２００６−２３９１８３号公報
【特許文献３】特開２００２−２３３２５４号公報
【発明の概要】
【発明が解決しようとする課題】
【０００７】
特許文献１に記載された発明では、上方へ移動しながら、その都度、ロープやベルトを樹木に固定する必要があるため、設置作業が煩雑であって時間がかかるという課題があった。また、作業者が乗るステップが樹木に巻き付けられたベルトのみで固定される構造であるため、樹木に対してステップを確実に固定することが難しいという課題もあった。
【０００８】
特許文献２に記載された発明では、特許文献１に記載された発明と同様に、作業者が上方へ移動しながら、樹木に対して昇降具を順次設置していく構造であるため、昇降具の設置に時間を要するという課題があった。また、締め付けベルトのみの固定では主ベルトが足場部材とともにずり落ちてしまうおそれもある。
【０００９】
特許文献３に記載された発明は、締め付けロープを立ち木の周面に巻き付けて、交互移動しながら昇降する構造であるため、予め枝打ちされている植林でないと、交互移動に時間がかかるという課題があった。また、立ち木に対して確実に固定できないおそれがあった。
【００１０】
本発明はかかる従来の事情に対処してなされたものであって、枝打ちされていない自然林に対しても容易に設置することが可能であり、しかも使用時の安全性に優れる木登り足場を提供することを目的とする。
【課題を解決するための手段】
【００１１】
上記目的を達成するため、第１の発明は、樹木の高所に一部が巻回されるようにして使用されるロープと、このロープの一端が上端に連結される保持部材と、この保持部材に基端が保持された状態で水平に設置される踏み板と、を備え、ロープは、他端が踏み板の下方に配置されるように垂設されることを特徴とするものである。
【００１２】
このような構造の木登り足場においては、ロープを操作することにより、保持部材の高さが変化するという作用を有する。また、ロープを介して樹木に吊り下げられた状態で使用される構造であるため、ロープの一部を固定しておくことで、樹木に対して特に固定していなくとも保持部材や踏み板の下方への移動が防止されるという作用を有する。
【００１３】
また、第２の発明は、第１の発明において、ロープは、踏み板の基端と保持部材の間に挿設され、踏み板は、保持部材と直交するまで回動し、その状態で基端が保持部材と協働してロープを挟持するように、基端が保持部材に対して回動可能に連結されたことを特徴とするものである。
このような構造の木登り足場においては、第１の発明の作用に加えて、踏み板が保持部材と直交するまで回動すると、ロープが踏み板の基端と保持部材によって挟持されることにより、ロープに対して移動不能に固定されるという作用を有する。
【００１４】
第３の発明は、第１の発明又は第２の発明において、踏み板の基端に設けられた鉤状部と、この鉤状部が係止する係止手段と、を備え、鉤状部は、踏み板が基端を中心として回動可能に係止手段を介して保持部材に対して着脱可能に連結されることを特徴とするものである。
このような構造の木登り足場においては、第１の発明又は第２の発明の作用に加えて、踏み板を保持部材から取り外すことにより、嵩張らない状態になるという作用を有する。
【００１５】
第４の発明は、第３の発明において、平面視半円状をなし、係止手段の下方において、側方へ突出するように保持部材の側面に設けられた板バネと、踏み板と保持部材が直交した状態において、先端が連結具と板バネの間に配置された棒状の位置決め具と、を備え、この位置決め具は、踏み板の回動に伴って板バネを弾性変形させながら移動するように踏み板の基端に設置されたことを特徴とするものである。
このような構造を備えた木登り足場では、踏み板と保持部材が直交した状態において、位置決め具の先端の移動が板バネによって阻止され、踏み板の回動が規制される。ただし、この場合でも踏み板に対して逆の方向へ回動させるように力を加えれば、位置決め具の先端は板バネの弾性力に抗して移動する。しかし、そのような力を加えない限り、踏み板が回動することはない。すなわち、第４の発明においては、第３の発明の作用を有することに加え、踏み板が保持部材に対して直交した状態から勝手に回動してしまうおそれがないという作用を有する。
【００１６】
第５の発明は、第１の発明乃至第４の発明のいずれかにおいて、ロープは、両端の少なくともいずれか一方が環状に形成され、保持部材は、上端と下端のうちの少なくとも一方がロープを係止可能に鉤状に形成されたことを特徴とするものである。
このような構造の木登り足場においては、第１の発明乃至第４の発明のいずれかの作用に加え、保持部材に対するロープの連結が容易であるという作用を有する。
【００１７】
第６の発明は、第１の発明乃至第４の発明のいずれかにおいて、ロープは、両端の少なくともいずれか一方が環状に形成され、保持部材は、ピンによってフックの開口部が開閉される連結金具が上端と下端のうちの少なくとも一方に設けられたことを特徴とするものである。
このような構造の木登り足場においては、第１の発明乃至第４の発明のいずれかの作用に加え、保持部材に対するロープの連結が容易であるという第５の発明と同様の作用を有する。
【００１８】
第７の発明は、第１の発明乃至第６の発明のいずれかにおいて、樹木の胴部に対して巻回可能な長さを有し、両端が踏み板に連結されたチェーンを備え、このチェーンは少なくともいずれか一方の端部が踏み板に対して着脱可能に連結されたことを特徴とするものである。
このような構造の木登り足場においては、第１の発明乃至第６の発明のいずれかの作用に加え、踏み板が保持部材に取り付けられた状態で樹木の胴部にチェーンを巻回すると、踏み板と保持部材が一体として樹木に対して固定されるという作用を有する。
【００１９】
第８の発明は、第１の発明乃至第７の発明のいずれかにおいて、踏み板の先端に両端が接続される丸棒からなり、安全帯のフックを掛止可能に形成される把持部を備えたことを特徴とするものである。
このような構造の木登り足場においては、第１の発明乃至第７の発明のいずれかの作用に加え、踏み板に上る際に把持部を手で掴むとバランスをとる動作が容易になるという作用を有する。
【発明の効果】
【００２０】
第１の発明によれば、数珠つなぎのようにして複数個を１本のロープによって吊り下げた場合、樹木に対して個別に固定せずとも、そのロープの一部を固定するだけですべての木登り足場に対して下方への移動を防ぐことができるため、設置作業が容易であり、また、安全性に優れている。さらに、ロープを操作することで、保持部材と踏み板を所望の高さに配置できるため、それらの設置作業を効率よく行うことが可能である。
【００２１】
第２の発明によれば、第１の発明の効果に加え、使用時の安全性に優れるという効果を奏する。
【００２２】
第３の発明によれば、第１の発明又は第２の発明の効果に加えて、持ち運びや保管の際の作業性が向上するという効果を奏する。
【００２３】
第４の発明によれば、第３の発明の効果を奏することに加え、設置作業中に踏み板が保持部材に対して直交した状態から勝手に回動してしまうことがないため、当該作業を効率よく行うことができるという効果を奏する。
【００２４】
第５の発明によれば、第１の発明乃至第４の発明のいずれかの効果を奏することに加え、設置する際の作業性が良いという効果がより一層発揮される。
【００２５】
第６の発明によれば、第１の発明乃至第４の発明のいずれかの効果を奏することに加え、設置作業を効率よく行うことができるという第５の発明と同様の効果を奏する。
【００２６】
第７の発明によれば、第１の発明乃至第６の発明のいずれかの効果に加え、使用時の安全性に優れるという効果がより一層発揮される。
【００２７】
第８の発明によれば、第１の発明乃至第７の発明のいずれかの効果に加え、把持部を手で掴むようにしてバランスをとるとともに、把持部に安全帯のフックを掛けることにより、作業者が踏み板に上る際の安全性がさらに高まるという効果を奏する。
【図面の簡単な説明】
【００２８】
【図１】本発明の実施の形態に係る木登り足場の実施例を示した側面図である。
【図２】（ａ）及び（ｂ）はそれぞれ図１に示した木登り足場を構成する保持部材の正面図及び左側面図である。
【図３】（ａ）及び（ｂ）はそれぞれ図１に示した木登り足場を構成する踏み板の正面図及び左側面図である。
【図４】（ａ）は図１におけるＡ方向矢視図であり、（ｂ）は図２（ａ）におけるＢ−Ｂ線矢視断面図であり、（ｃ）は同図（ｂ）におけるＣ方向矢視図である。
【図５】（ａ）は保持部材に踏み板が取り付けられる様子を示した図であり、（ｂ）及び（ｃ）は位置決め具と板バネの位置関係を示した図である。
【図６】本発明の木登り足場の使用状態の一例を示した図である。
【発明を実施するための形態】
【００２９】
本発明の木登り足場について図１乃至図６を用いて説明する。なお、以下の説明では、図１に示したように樹木へ実際に取り付けられた状態を想定して、「上端」や「下端」あるいは「上方」や「下方」などの語句を用いている。
【実施例】
【００３０】
図１は本発明の木登り足場が樹木に取り付けられた状態の一例を模式的に表した図である。また、図２（ａ）及び図２（ｂ）は図１に示した木登り足場１を構成する保持部材２の正面図及び左側面図であり、それぞれ下端に連結ロープ５が取り付けられた状態を示している。一方、図３（ａ）及び図３（ｂ）は木登り足場１を構成する踏み板３の正面図及び側面図である。なお、図３（ａ）では樹木の輪郭の一部を破線で示している。
【００３１】
図４（ａ）は図１におけるＡ方向矢視図であり、図４（ｂ）は図２（ａ）におけるＢ−Ｂ線矢視断面図であり、図４（ｃ）は図４（ｂ）におけるＣ方向矢視図である。なお、図４（ａ）では保持部材２と伐採用引きロープ４の位置関係について説明するために保持部材２の上端２ａ付近のみを拡大して示すとともに、踏み板３の図示を省略している。
また、図５（ａ）は保持部材２に踏み板３が取り付けられる様子を模式的に示した図であり、図５（ｂ）及び図５（ｃ）は位置決め具１６と板バネ１０ｂの位置関係を示した図である。なお、図５（ａ）ではチェーン１４の図示を省略している。また、図５（ｂ）及び図５（ｃ）では踏み板３の全体図を省略し、位置決め具１６のみを示している。
【００３２】
図１乃至図３に示すように、本発明の木登り足場１は、樹木Ｊに対して、その高さ方向と略平行をなすように設置される保持部材２と、この保持部材２に一端が保持される踏み板３と、両端が環状に形成された伐採用引きロープ４及び連結用ロープ５を備えている。
保持部材２は、合成樹脂又は金属によって帯状に形成された平板材からなり、上端２ａの近傍には踏み板連結部６が設けられており、下端２ｂの近傍には幅広部７，７が両側へ突出するようにそれぞれ設けられている。なお、幅広部７，７は、後述する伐採用引きロープ４を操作して木登り足場１の高さを調節する作業において、保持部材２が長手方向に平行な軸を中心として回転してしまわないように、樹木Ｊに当接して保持部材２の回動を防ぐという機能を有している。
【００３３】
保持部材２の上端２ａには、フック８ａと、フック８ａの基端を軸として回動することでフック８ａの開口部を開閉するピン８ｂと、フック８ａの開口部を閉じる方向へピン８ｂを付勢するバネ８ｄと、上端２ａに設けられた一対の保持具２ｃによって揺動自在に保持されるフック連結具８ｃによって構成された連結金具８が取り付けられている。
一方、保持部材２の下端２ｂの一部は、伐採用引きロープ４や連結ロープ５をそれぞれ係止可能に鉤状に形成されている。
すなわち、保持部材２は上端２ａと下端２ｂに対して伐採用引きロープ４や連結ロープ５が着脱可能に連結される構造となっている。
【００３４】
本発明の木登り足場は、このような構造に限定されるものではない。例えば、保持部材２の下端２ｂは上端２ａのように連結金具８が取り付けられた構造であっても良いし、保持部材２の上端２ａは、連結金具８が取り付けられる代わりに、下端２ｂと同様な構造であっても良い。ただし、どちらの場合であっても、保持部材２の上端２ａや下端２ｂに対して伐採用引きロープ４や連結ロープ５を連結する作業が容易になるため、設置作業の効率が向上するという効果が同様に発揮される。
なお、保持部材２の上端２ａと下端２ｂに連結金具８を用いる場合には、連結した伐採用引きロープ４や連結ロープ５が外れ難いというメリットがある。一方、連結金具８を用いずに、保持部材２の上端２ａを下端２ｂと同じ構造にする場合には、製造コストを安くできるというメリットがある。
【００３５】
踏み板連結部６は、保持部材２の長手方向と平行な貫通孔９ａを有し、保持部材２の両側にそれぞれ設置された一対のブロック状の連結具９，９と、連結具９，９の下方において保持部材２の両側面に設けられた固定具１０ａ，１０ａと、平面視半円状をなし、保持部材２の両側へ突出するように固定具１０ａ，１０ａにそれぞれ取り付けられた一対の板バネ１０ｂ，１０ｂによって構成されている。
【００３６】
踏み板３は、滑り止めのための微小な凹凸が表面に形成された平板材からなり、先端３ｂには安全帯のフックを掛止可能に両端が上記平板材に接続された丸棒からなる把持部１１が取り付けられている。また、基端３ａには、ブロック状のロープ固定具１２が踏み板３の裏面（水平に設置された場合における下面）に設置されており、ロープ固定具１２の両側面には、弾性材によって形成され平面視略円弧状をなす一対のアーム１３，１３がそれぞれ基端３ａから斜めに突出するように設けられている。そして、アーム１３，１３は、一方の先端１３ａに樹木Jの胴部に対して巻回可能な長さを有するチェーン１４の一端が連結されており、他方の先端１３ｂがチェーン１４の他端やその途中部分を係止可能に鉤状に形成されている。
【００３７】
すなわち、木登り足場１では、踏み板３が保持部材２に取り付けられた状態で樹木Jの胴部に巻回したチェーン１４の両端をアーム１３，１３の先端１３ａ，１３ｂに連結させることで、踏み板３と保持部材２が一体として樹木Ｊに対して固定される構造となっている（図１参照）。したがって、木登り足場１は使用時の安全性に優れている。
また、一方のアーム１３の先端１３ａに一端が連結されたチェーン１４は、他端や途中部分のうち、適切な箇所を選んで他方のアーム１３の先端１３ｂに係止することで樹木Ｊの胴部に巻回させる長さを調節できる構造となっている。さらに、チェーン１４を樹木Ｊの胴部に巻回する際に、アーム１３，１３はその外面の形に応じて弾性変形可能な構造となっている。したがって、木登り足場１においては、チェーン１４によって保持部材２と踏み板３をしっかりと樹木Ｊに固定して、使用時の安全性をさらに向上させることが可能である。
【００３８】
踏み板３の基端３ａには、一対の鉤状部１５，１５が連結具９，９の貫通孔９ａ，９ａに対してそれぞれ挿通可能に、かつ、ロープ固定具１２の反対側（水平に設置された場合における上面側）へ突出するように設けられている。また、ロープ固定具１２の両側には、踏み板３を保持部材２に対して直交するように取り付けた際に、先端が連結具９，９と板バネ１０ｂ，１０ｂの間にそれぞれ配置されるように一対の棒状の位置決め具１６，１６が設置されている。
【００３９】
伐採用引きロープ４は、樹木Ｊの高所に一部が巻回された状態で使用されるものであり、一端が連結金具８に連結されるとともに、他端が踏み板３の下方に配置され、その途中部分が踏み板３の基端３ａと保持部材２の間に挿設されている（図１及び図４（ａ）参照）。
また、前述のとおり、連結具９，９には保持部材２の長手方向と平行をなすように貫通孔９ａ，９ａがそれぞれ設けられているが（図４（ｂ）参照）、貫通孔９ａ，９ａは、鉤状部１５が挿通された状態で踏み板３の鉤状部１５の中心を通る軸Ｌ（図３（ａ）参照）を中心とする回動を阻害しないような形状となっている（図４（ｃ）参照）。すなわち、連結具９は鉤状部１５の係止手段として機能し、鉤状部１５，１５は、その中心を通る軸Ｌのまわりに踏み板３が回動可能となるように連結具９，９を介して保持部材２に着脱可能に連結されている。
このような構造により、木登り足場１では、図４（ａ）に示した状態において、連結具９，９の貫通孔９ａ，９ａに鉤状部１５，１５の先端をそれぞれ挿通させると、図５（ａ）に示すように、鉤状部１５の中心を通る軸Ｌ（図３を参照）を中心として踏み板３を矢印Ｄで示す方向へ回動させることができる。
【００４０】
上記構造の木登り足場１においては、保持部材２の上端２ａや下端２ｂに連結した連結ロープ５を介して複数個を数珠つなぎのようにして１本の伐採用引きロープ４に連結させることができる。したがって、本発明の木登り足場１を用いることによれば、樹木Ｊの高さに応じて、設置する数を容易に調整することが可能である。また、木登り足場１は、伐採用引きロープ４や連結ロープ５から取り外したり、踏み板３を保持部材２から取り外したりすることにより、嵩張らない状態にすることができる。したがって、持ち運びや保管が容易である。
【００４１】
踏み板３の回動に伴って、位置決め具１６，１６の先端は、図５（ｂ）に示すように、板バネ１０ｂ，１０ｂをそれぞれ弾性変形させながら上方へ移動する。その後、踏み板３をさらに回動させて、保持部材２に対して直交した状態にすると、図５（ｃ）に示すように、位置決め具１６，１６の先端は連結具９，９と板バネ１０ｂ，１０ｂの間にそれぞれ配置され、板バネ１０ｂ，１０ｂは元の形に戻る。その結果、位置決め具１６，１６の先端は板バネ１０ｂ，１０ｂによって下方への移動が阻止され、踏み板３の回動が規制される。
なお、踏み板３を手で掴むなどして図５（ａ）に示した矢印Ｄと逆の方向へ回動させるように踏み板３に対して力を加えれば、位置決め具１６，１６の先端は板バネ１０ｂ，１０ｂの弾性力に抗して下方へと移動する。しかし、そのような力を加えない限り、踏み板３が回動することはない。
すなわち、本発明の木登り足場１によれば、保持部材２に対して直交した状態から踏み板３が勝手に回動してしまうおそれがないため、その設置作業を効率よく行うことができる。
【００４２】
また、木登り足場１は、伐採用引きロープ４を介して樹木Ｊに吊り下げられた状態で使用されるものであるため、伐採用引きロープ４が移動しないようにその一部を固定しておけば、チェーン１４を用いなくとも勝手に下方へ移動するおそれがなく、安全である。特に、数珠つなぎのようにして複数個を１本の伐採用引きロープ４に吊り下げた場合、樹木Ｊに対して個別に固定せずとも、伐採用引きロープ４の一部を固定するだけですべてについて下方への移動を防ぐことができるため、安全性に優れるとともに作業性も良い。
なお、後述するように、使用時には、踏み板３に体重を掛けることで、木登り足場１が伐採用引きロープ４に対して移動不能に固定されるため、伐採用引きロープ４の一部を固定する必要はない。
【００４３】
木登り足場１の使用方法について図６を用いて具体的に説明する。図６は木登り足場１が樹木Ｊに取り付けられた状態を側面から見た図である。なお、図６では２つの木登り足場のみが示されているが、木登り足場の数は、これに限定されるものではなく、樹木の高さに応じて適宜変更可能である。また、図１乃至図５に示した構成要素については、同一の符号を付してその説明を省略する。
図６に示すように、伐採用引きロープ４は樹木Ｊの高所に一部が巻回されるとともに一端が連結金具８を介して第１の木登り足場１ａが連結されている。そして、この木登り足場１ａには連結ロープ５を介して第２の木登り足場１ｂが連結され、第２の木登り足場１ｂには保持部材２の下端２ｂに伐採用引きロープ４の他端が連結されている。
【００４４】
このとき、伐採用引きロープ４の途中部分は木登り足場１ａ，１ｂに対し、踏み板３の基端３ａと保持部材２の間にそれぞれ挿設されているが、踏み板３の基端３ａと保持部材２によって挟持されてはいない。したがって、伐採用引きロープ４の木登り足場１ａ，１ｂの前面に垂れ下がっている部分を手で持つなどして引き下げると、木登り足場１ａ，１ｂが吊り上げられて上方へ移動する。逆に、当該部分を上方へ移動させたり、木登り足場１ａ，１ｂに連結されている側を引き下げたりすると、木登り足場１ａ，１ｂは下方へ移動する。
このように、木登り足場１ａ，１ｂは、伐採用引きロープ４を操作することによって上下方向へ容易に移動するため、設置する際の作業性が良い。
【００４５】
木登り足場１ａ，１ｂが所望の高さに配置された後、作業者は踏み板３に足をかけて木登り足場１ｂに上ることになるが、このとき、木登り足場１ａを利用すれば、その動作を安全に行うことができる。すなわち、木登り足場１ａの踏み板３に設けられている把持部１１を手で掴むようにしてバランスをとるとともに、把持部１１に安全帯のフックを掛けることにより、作業者は上述の動作を安全に行うことが可能である。
なお、作業者が木登り足場１ｂの踏み板３に体重をかけると、ロープ固定具１２によって伐採用引きロープ４は保持部材２に対して押し付けられ、伐採用引きロープ４は保持部材２と踏み板３によって挟持された状態になる。そして、踏み板３に体重をかける度合いが増すにつれて、保持部材２と踏み板３が伐採用引きロープ４を挟持する力は強くなり、最終的に木登り足場１ｂは伐採用引きロープ４に対して移動不能に固定される。これにより、木登り足場１ｂは樹木Ｊに対する固定が確実なものとなり、安全性が格段に向上する。
【００４６】
なお、本発明の木登り足場は、本実施例に示した構造に限定されるものではない。例えば、アーム１３の先端１３ａを先端１３ｂのようにチェーン１４の端部を係止可能な構造として、チェーン１４の両端がいずれもアーム１３，１３を介して踏み板３に対して着脱可能に連結された構造としても良い。
また、伐採用引きロープ４は一方の端部のみが環状に形成された構造であっても良い。  
【産業上の利用可能性】
【００４７】
本発明は、線下樹木の先端伐採や植林された樹木の枝打ち等の作業において利用可能である。
【符号の説明】
【００４８】
１，１ａ，１ｂ…木登り足場  ２…保持部材  ２ａ…上端  ２ｂ…下端  ２ｃ…保持具  ３…踏み板  ３ａ…基端  ３ｂ…先端  ４…伐採用引きロープ  ５…連結用ロープ  ６…踏み板連結部  ７…幅広部  ８…連結金具  ８ａ…フック  ８ｂ…ピン  ８ｃ…フック連結具  ８ｄ…バネ  ９…連結具  ９ａ…貫通孔  １０ａ…固定具  １０ｂ…板バネ  １１…把持部  １２…ロープ固定具  １３…アーム  １３ａ，１３ｂ…先端  １４…チェーン  １５…鉤状部  １６…位置決め具  Ｊ…樹木  Ｌ…軸  
【図１】
2018038310.tif 000003
【図２】
2018038310.tif 000004
【図３】
2018038310.tif 000005
【図４】
2018038310.tif 000006
【図５】
2018038310.tif 000007
【図６】
2018038310.tif 000008